(57)【要約】  使用者により選択可能に先端部分の表面と接触して配置された先端部分の表面を画成する整形用面例えばほぼ円錐状および切頭円錐状の表面、整形用面中のスロット、並びにスロットに配置されしかも整形用面が先端部分と接触して配置されるとき係合可能であって先端部分の材料を取り除くことができる縁からなり、取り除かれた材料はスロットを通過できる整形具であって、磨り減らされた化粧ユニットの先端部分を手軽に整形および／または画成できる化粧品のキャップに配置される整形具の提供。【選択図】図１Ｅ
2010523210.tif 000002
【特許請求の範囲】
【請求項１】
使用者により選択可能に先端部分の表面と接触して配置されて先端部分の表面を画成する整形用面、
整形用面中のスロット、
スロットに配置され、そして整形用面が先端部分と接触して配置されるとき、係合可能であって先端部分の材料を取り除くことができ、取り除かれた材料がスロットを通過することができる縁
を含むことを特徴とする磨り減らされた化粧ユニットの先端部分を画成する整形具。
【請求項２】
整形用面が、ほぼ円錐状または切頭円錐状の面の１つからなる請求項１の整形具。
【請求項３】
取り除いた材料を貯める内部空間をさらに含む請求項１の整形具。
【請求項４】
使用者により選択可能に先端部分と接触して配置されるまで、先端部分から整形用面を維持する偏り部材をさらに含む請求項１の整形具。
【請求項５】
使用者により選択可能に先端部分と接触して配置されるプッシュボタンをさらに含む請求項１の整形具。
【請求項６】
整形具が先端部分を整形用面へ導く肩状部を含む請求項１の整形具。
【請求項７】
スロットが、整形用面上で円周方向に配置された渦巻き状である請求項１の整形具。
【請求項８】
整形具が、化粧ユニットを収容する保持具と組み合わされたキャップ中に配置されている請求項１の整形具。
【請求項９】
整形用面が、先端部分に対して回転可能であって先端部分の表面と係合する請求項８の整形具。
【請求項１０】
整形用面を導くガイドをさらに含む請求項１の整形具。
【請求項１１】
化粧ユニットの化粧材料と相互作用する整形用化学品を保持する貯槽、
整形用化学品を先端部分へ伝達して先端部分の表面を滑らかにし、さらに使用者により選択可能に先端部分と接触して配置される整形用面
を含むことを特徴とする磨り減った化粧ユニットの先端部分を画成する整形具。
【請求項１２】
整形用面が、整形用化学品を伝達する複数の孔を含む請求項１１の整形具。
【請求項１３】
整形用面が、整形用化学品を伝達する複数の溝を含む請求項１１の整形具。
【請求項１４】
整形用面が、整形用化学品により含浸されそして先端部分へ移される請求項１１の整形具。
【請求項１５】
使用者により選択可能に先端部分と接触して配置されるまで、先端部分から整形用面を維持する偏り部材をさらに含む請求項１１の整形具。
【請求項１６】
使用者により選択可能に先端部分と接触して配置されるプッシュボタンをさらに含む請求項１１の整形具。
【請求項１７】
整形用面と、化粧ユニットを有する化粧品とを用意する工程、
化粧ユニットの先端部分に対して整形用面を配置する工程、
整形用面を先端部分と係合させて蓄積された材料の域からの先端部分の材料の移動および蓄積された材料の域からの先端部分の材料の除去を行う工程
からなることを特徴とする化粧ユニットの先端部分を整形する方法。
【請求項１８】
整形用面を係合させる工程が、化粧ユニットを含む保持具に対して整形用面を含むキャップを回転させることを含む請求項１７の方法。
【請求項１９】
整形用面を係合させる工程が、貯槽から整形用化学品を放出させることを含む請求項１７の方法。
【請求項２０】
整形用面を係合させる工程が、整形用面をガイドの第１の位置から第２の位置へ滑らせる請求項１７の方法。
【請求項２１】
先端部分を有する化粧ユニットを含む保持具とキャップとを含み、
該キャップは、使用者により選択可能に先端部分と接触して配置され先端部分の表面を滑らかにする整形用面；整形用面中のスロット；並びにスロットに配置されそして整形用面が先端部分と接触して配置されるとき係合可能で先端部分の材料を取り除くことができ、取り除かれた材料はスロットを通過することができる縁を含むことを特徴とする化粧品。
【発明の詳細な説明】
【技術分野】
【０００１】
本発明は、化粧品、特に磨り減った化粧ユニットの先端部分を整形および／または画成する化粧品の製法および使用法に関する。
【背景技術】
【０００２】
或る化粧品は、その先端が使用により磨り減るようになる容易に変形する固体または半固体の材料からつくられた化粧ユニットからなる。典型的な例では、先端または先端の一部がその尖った先を失うことになる。さらに、またはその代わりに、先端は、凸凹な形をとるようになり、材料が蓄積する域と材料が除かれた他の域とを有することになる。
【０００３】
磨り減らされた先端は、精密かつ一定の塗布を行うことができない。むしろ、先端によりつくられるラインは、目的とするラインよりも広くなり、蓄積した域は、使用者に盛り上がった域を生じさせ、一方除かれた域は、化粧品が使用者に適用されない。
【０００４】
聡明な使用者は、ティッシュまたは他の手段を用いて先端の形を整える。結果は、物理的に不安定な先端部分が得られるに過ぎず、磨り減った先端よりも僅かにましな形になるに過ぎない。
【０００５】
この点を改善するために、化粧品の製造業者は、化粧品に整形具（ｓｈａｐｅｒ）を設ける。周知の整形具は、先端とは反対の保持具の末端に取り外し可能に設けられる。使用者は、整形具を遠位の末端から取り外し、保持具を新しい方向に向かせ、先端を整形し、整形した結果がうまくいったかを調べ、そしてもし満足できるならば、整形具を保持具の遠位の末端に戻さねばならない。
【０００６】
ペンシルの形の化粧品では、整形具はキャップに配置されることが知られている。保持具は、固体の化粧ユニットを含む。保持具は、使用者が製品の使用を始めるまで、キャップの空間の近位の末端で空間に確保される。
【０００７】
保持具は、次に取り出され、もし尖らせることが望まれるならば、遠位の末端である第２の末端が保持具の先端と反対になるようにキャップを回す。保持具は、次に第２の空間に挿入され、そして当業者に周知のように、尖らせる刃が、ペンシルおよび化粧ユニットの一部を取り除いて先端を鋭くする。しかし、鋭い刃による傷を防ぐために、典型的な例では、第２のキャップでキャップをカバーするなど、さらなる手順を行う必要がある。
【発明の概要】
【発明が解決しようとする課題】
【０００８】
従来のそれぞれの製品は、化粧ユニットの先端の一部を整形および／または画成するためにキャップに配置される整形具の元来もつ手軽さを欠いている。
【０００９】
本明細書で使用されるとき、化粧品は、化粧ユニットおよび保持具を含む使用者により使用される製品、例えば保持具および棒紅ユニットを有する棒紅をいう。化粧ユニットは、使用者の身体へ適用される化粧料を含む製品をいう。
【課題を解決するための手段】
【００１０】
本発明は、磨り減った化粧ユニットの先端部分を画成する整形具に関し、それは、先端部分の表面を滑らかにするための整形用の表面と整形用面中のスロットとを含む。整形用面は、使用者により選択可能に先端部分と接触して置かれる。縁がスロットに配置され、そして整形用面が先端部分と接触するとき、先端部分の材料を除くために係合可能である。除かれた材料はスロットを通過する。
【００１１】
本発明の他の目的は、磨り減った化粧ユニットの先端部分を画成する整形具であり、それは、化粧ユニットの化粧材料と相互に作用する整形用化学品を保持するための貯槽を含む。整形具は、また整形用化学品を先端部分へ送って先端部分の表面を滑らかにするための整形用面を含む。整形用面は、使用者により選択可能に先端部分と接触して配置することができる。
【図面の簡単な説明】
【００１２】
【図１】Ａは本発明の１つの態様による化粧品の断面図である。Ｂは整形具の平面図である。Ｃは整形具のスロットでの整形具の一部断面図である。Ｄはガイド肩状部を有する整形具の断面図である。Ｅは化粧ユニットが整形されつつある図１Ａによる化粧品の断面図である。
【図２】Ａは使用前の第１の化粧ユニットの断面図である。Ｂは使用後の第１の化粧ユニットの断面図である。Ｃは使用前の第２の化粧ユニットの断面図である。Ｄは使用後の第２の化粧ユニットの断面図である。Ｅは本発明の１つの態様による化粧品の断面図である。Ｆは、図２Ｅの整形具の平面図である。
【図３】Ａは本発明の他の態様による第１の位置の化粧品の断面図である。Ｂは第２の位置における図３Ａの化粧品の断面図である。
【図４】本発明の他の態様によるプッシュボタンを用いる化粧品の断面図である。
【図５】Ａは本発明の他の態様による整形用化学品を使用する化粧品の断面図である。Ｂは本発明の他の態様による整形具の平面図である。Ｃは本発明の他の態様による整形具の平面図である。Ｄは本発明の他の態様による整形用化学品および偏り部材を用いる化粧品の断面図である。Ｅは本発明の他の態様による電池を用いる化粧品の断面図である。
【図６】Ａは本発明の他の態様による整形具の平面図である。Ｂは図６Ａの整形具のスロットでの整形具の一部断面図である。
【図７】Ａ−Ｅは複数の整形具および得られる整形したチップを示す。
【図８】Ａは本発明の他の態様による化粧品の断面図である。Ｂは図８Ａの化粧品の断面図である。Ｃ−Ｅは図８Ａの化粧品の側面図である。Ｆは本発明の他の態様による化粧品の断面図である。ＧおよびＨは、それぞれ第１および第２の位置の整形具を有する図８Ｆの化粧品の断面図である。
【発明を実施するための形態】
【００１３】
本発明の１つの態様によれば、化粧品１０は、保持具１２、並びに保持具により保持される化粧ユニットの先端部分を整形および／または画成するキャップ１４を含む。
【００１４】
化粧品１０は、当業者が本明細書の以下の記述から認識できる任意の好適な物品である。特に、化粧品１０は、フルライン口紅、スリムライン口紅、トリムライン口紅、アイシャドウ、コンシーラー、リップライナー、アイライナー、メカニカルペンシルまたは任意の他の好適な物品であるが、これらに制限されない。
【００１５】
従って、保持具１２は、使用者にとり都合が良く、化粧ユニットを保持するのに好適である、および／またはどんな理由によっても望まれる任意の好適な形状を有することができる。例えば、保持具は、円形の断面を有し、リップライナーでは直径は小さく、または口紅では直径は大きい。保持具１２がペンシルであるとき、保持具１２は、多角形の断面を有し、または例えば、保持具１２は、フルライン口紅として形成されるとき、方形である。
【００１６】
保持具は、当業者に周知であるように、化粧ユニット１６をしっかり保持する本体１２ａを含む。
使用者が化粧ユニットの化粧料を使用者の身体へ適用できるように、保持具１２は、本体１２ａの近位の末端の外部にある化粧ユニットの先端１６ａを維持する。
【００１７】
化粧ユニット１６は、固体または半固体であり、材料が先端で不均一に分布したとき、表面を整えるために先端の一部を整形および／または画成できる。例えば、図２Ａおよび２Ｂについて画かれているように、図２Ａは、使用前の化粧ユニットであり、図２Ｂは使用後の化粧ユニットであり、化粧ユニット１６は、表面上の高い箇所１７ａおよび低い箇所１７ｂにより平らにならない材料を含む。
【００１８】
好ましくは、材料は、形状を補正できる性質を有する。従って、化粧ユニットの材料よりも可撓性のない表面が化粧ユニットへ適用されそして化粧ユニットが表面に対して回転するとき、材料は、蓄積した材料の域から除かれた材料の域へ移動するか、または化粧ユニットから除かれる。同様に、材料が、蓄積した材料の域から除かれた材料の域へ移動するか、または化粧ユニットから除かれるように、化粧ユニット１６は、好ましくは、熱および／または化学品に応答する。
【００１９】
化粧品１０は任意の好適な物品であるため、化粧ユニット１６は任意の好適な形状を有することができる。図２Ｃおよび２Ｄについて画かれているように、化粧ユニットは、幅が比較的広く、そのため図１Ａと比較して、図２Ｅおよび２Ｆに画かれた本発明の態様は好適なサイズにされる。
【００２０】
図１すなわち図２Ｅに戻って、キャップ１４は、好適な原料からつくられ、そして任意の好適なプロセスにより製造され、スナップ留めアセンブリを含む。キャップ１４は、好ましくは、保持具１２に適合するようなサイズにされ、そして外部の力から先端１６ａを防ぐ。キャップ１４は、一体化したキャップでもまたは独立したキャップでもよい。
【００２１】
図１Ａについて、キャップ１４は、保持具１２の本体の肩状部１２ｂと適合して、任意の好適な手段例えば摩擦嵌めにより保持具を保つ内部の部分１４ａを含む。
キャップ１４は、さらに、磨り減るようになった化粧ユニットの先端部分を整形および／または画成する整形具１８を含む。整形具１８は、キャップ中に任意の好適な手段により設けられ、例えば、キャップと一体化されるか、または挿入されそして摩擦嵌めまたはスナップアセンブリにより確保される。
【００２２】
整形具１８は、ほぼ円錐状または切頭円錐状の表面の形の整形用面１８ａを含む。円錐状の表面の角度は、整形および／または画成される特定の材料について任意の好適な角度である。表面１８ａは、図１に示されるような円錐として構成できるが、しかし、それは他の構造、例えば先端に面して円錐状の表面を有する栓状物であってもよい。
【００２３】
整形具１８は、先端１６ａを整形具中に導くおよび／または保持する、図２Ｄに示されるような肩状部１８ｂを含むことができる。肩状部１８ｂは、好ましくは、予定された量で先端の断面の直径よりも大きいサイズを有しており、先端を誘導しそしてそれを表面１８ａに保つ。
【００２４】
表面１８ａは、１つ以上のスロット１８ｃを含み、そのそれぞれは、先端の材料の一部を取り除く１つまたは１組の一面または二面の縁１８ｄによって画成される。取り除かれた材料は、好ましくは、キャップの内部の空間１４ｂへ出る。空間１４ｂは、好ましくは、蓄積した取り除いた材料を保つ好適なサイズを有する。
【００２５】
使用にあたって、使用者が化粧料を適用することを望むとき、保持具およびキャップは、互いに離すことができる。保持具をキャップから離す前に、使用者はキャップを予定した量回す。回転中、成型用表面は先端の上に移動しそして先端の外側表面を滑らかにする。過剰な材料は、スロットを経て取り出される、および／または蓄積した材料の域から減少した材料の域へ材料を移すことにより滑らかにされる。
【００２６】
保持具に対してキャップを回すのを助けるために、内部の部分１４ａおよび肩状部１２ｂは、ねじ切りされ、従って係合可能である。それゆえ、整形具１８は、使用者が化粧品の使用を終わった場合そしてまたキャップを外して化粧品を使用した場合、キャップが保持具に配置されると係合される。
【００２７】
内部部分１４ａおよび肩状部１２ｂは、ねじ切りされうるが、しかし、キャップは回すことなく保持具に適合でき、そして回すかまたは回すことなく外すことができる。すなわち、整形具は、使用者がそうしたいと望むときに限って係合される。
【００２８】
図３Ａおよび３Ｂに関する他の態様において、整形具１８は、縦軸に沿ってキャップ１４に関して移動可能に偏っている。その態様では、キャップ１４は、ガイド１８ｅがそのなかへ移動可能なキャップの１つ以上の縦の溝で移動する偏り部材２０を含む。偏り部材２０は、偏り要素２０ａ例えばバネを含み、それは好ましくは筐体２０ｂ例えば套管中に留められる。
【００２９】
整形具１８は、キャップの開口の後部に好適に配置され、保持具がキャップと係合するとき、先端１８ａは、整形具と接触しない。使用者が先端を整形することを望むとき、使用者は保持具をキャップ中にさらに係合させ、恐らく保持構造例えば低い突起を越えて、先端を整形具に対して配置する。保持具を通して先端に対して使用者により働く縦の力は、先端が整形具と接触する程度を決定する。
【００３０】
使用者は、次に、予定された量でキャップに対して保持具を回し、先端を整形具に対して回転させる。整形用面は、次に先端に近づき、先端の外表面は、スロットを通って取り出される、および／または蓄積した材料の域から減少した材料の域へ材料を移動することにより滑らかにされる。
【００３１】
図４に関し、キャップ１４は、先端１６ａと接触して整形具１８を選択的に配置するためのプッシュボタン２２を含む。プッシュボタン２２は、キャップの頂部１４ｄを通って孔１４ｃに移動可能に確保される。触知できる表面２２ａはピストン２２ｂへ接続し、それは孔を通過する偏り部材２２ｃを含む。ピストンの表面２２ｄは、偏り部材２２への使用者の押しを伝達し、押しは次に整形具の整形用面を化粧ユニットの先端と接触させる。
【００３２】
図５に示される本発明の他の態様によれば、化粧品５０は、保持具５２と、保持具により保持される化粧ユニットの先端部分を形成および／または画成するキャップ５４とを含む。
化粧品５０は、当業者が上述された記述から認識できる任意の物品である。特に、化粧品５０は、フルライン口紅、スリムライン口紅、トリムライン口紅、アイシャドウ、コンシーラー、リップライナー、アイライナー、メカニカルペンシルまたは任意の他の好適な物品であるが、これらに制限されない。
【００３３】
従って、保持具５２は、使用者にとり都合のよい任意の好適な形状を有し、化粧ユニットを保持するために好適である、および／または任意の理由で望ましい形状を有する。例えば、保持具は、円形の断面を有し、そしてリップライナーでは直径は小さく、または棒紅では直径は大きい。保持具５２がペンシルの場合、保持具５２は、多角形の断面を有し、または例えば、保持具５２は、それがフルライン口紅として構成されるときには、方形である。
【００３４】
保持具は、当業者に周知のように、化粧ユニット５６をしっかり保持する本体５２ａを含む。
保持具５２は、使用者が使用者の身体へ化粧ユニットの化粧料を適用できるように、本体５２ａの近位の末端の外で化粧ユニットの先端５６ａを維持する。
【００３５】
化粧ユニット５６は、固体または半固体であり、材料が先端で不均一に分布したとき、表面を整えるために先端の一部を整形および／または画成できる。例えば、化粧ユニット５６は、表面上の高い箇所および低い箇所により平らにならない材料を含む。好ましくは、材料は、形状を補正できる性質を有する。
【００３６】
従って、化粧ユニットの材料よりも可撓性のない表面が化粧ユニットへ適用されそして化粧ユニットが表面に対して回転するとき、材料は、蓄積した材料の領域から除かれた材料の領域へ移動するか、または化粧ユニットから除かれる。
【００３７】
キャップ５４は、好適な原料からつくられ、そして任意の好適なプロセスにより製造され、スナップ留めアセンブリを含む。キャップ５４は、好ましくは、保持具５２に適合するようなサイズを有し、そして外部の力から先端５６ａを防ぐ。キャップ５４は、一体化したキャップでもまたは独立したキャップでもよい。
【００３８】
キャップ５４は、保持具５２の本体の肩状部５２ｂと適合して、任意の好適な手段例えば摩擦嵌めにより保持具を保つ内部の部分５４ａを含む。
キャップ５４は、さらに、磨り減るようになった化粧ユニットの先端部分を整形および／または画成する整形具５８を含む。整形具５８は、キャップ中に任意の好適な手段により設けられ、例えば、整形具はキャップと一体化されるか、またはそれは挿入されそして摩擦嵌めまたはスナップアセンブリにより確保される。
【００３９】
整形具５８は、先端の材料の予定された部分を除くことにより先端を整形する、貯槽６０に配置された整形用化学品を含浸するかまたは伝達できる整形用面５８ａを含む。表面は、ほぼ円錐状または切頭円錐状の表面の形であり、そして好ましくは、肩状部４８ｂは先端５６ａを導く。円錐状の表面の角度は、整形および／または画成される特定の材料について任意の好適な角度である。表面１８ａは、図１に示されるような円錐として構成できるが、しかし、それは他の構造、例えば先端に面して円錐状の表面を有する栓状物であってもよい。
【００４０】
肩状部５８ｂは、好ましくは、予定した大きさで先端の断面の直径よりも大きい直径のサイズを有し、先端を導きそしてそれを表面５８ａに保つ。
使用にあたって、使用者が化粧料を適用することを望むとき、使用者は、保持具をキャップから取り出す前に、予定した回転数でキャップを回す。そのため、成型用表面は先端の上に移動し、先端の外側表面を滑らかにする。過剰な材料は、スロットを経て取り出される。
【００４１】
保持具に対してキャップを回すのを助けるために、内部の部分５４ａおよび肩状部５２ｂは、ねじ切りされ、従って係合可能である。それゆえ、整形具５８は、使用者が化粧品の使用を終わった場合そしてまたキャップを外して化粧品を使用する場合、キャップが保持具に配置されたとき係合される。
【００４２】
内部部分５４ａおよび肩状部５２ｂは、ねじ切りされうるが、しかし、キャップは回すことなく保持具に適合でき、そして回すかまたは回すことなく外すことができる。すなわち、整形具は、使用者がそうしたいと望むときに限って係合される。
【００４３】
整形用化学品を供給するために、好都合な位置に配置された貯槽６０は、予定量の化学品を含む。整形用化学品は、化粧材料中の１つ以上の化合物と相互作用して化粧材料に物理的な変化を生じさせる任意の好適な化学品である。
貯槽は、整形具に隣接して設けることができる。従って、プッシュボタン６２は、予定量の化学品を放出できる。
【００４４】
プッシュボタン６２は、先端５６ａと接触している整形具５８を経て整形用化学品を選択的に放出するためにキャップ５４内に設けられる。プッシュボタン６２は、キャップの頂部５４ｄを通って孔５４ｃへ移動可能に確保される。触知できる表面６２ａは、ピストン６２ｂへ接続され、それは孔を通過する偏り部材６２ｃを含む。ピストンの表面６２ａは、使用者の押しを貯槽に伝え、それは次に予定量の化学品を放出する。
【００４５】
整形用面５８ａは、整形用化学品を吸収しそしてそれを含浸するようになる材料を含むことができる。先端５６ａと接触することにより、化粧材料は、材料の性質を変化させそして使用者による回転により整形できる。
１つ以上の態様において、整形用面は、複数の孔５８ｃまたは溝５８ｄを有し、整形用化学品を直接先端５６ａと接触させる。
【００４６】
キャップ５４の構成は、また偏り部材を利用することができ、図５Ｄに画かれたように、図３Ａ，３Ｂおよび／または４に類似している。その構成で、使用者が保持具を整形具６８中に進め、整形具をキャップに対して移動させ貯槽を圧縮するとき、貯槽６０からの整形用化学品の放出が生ずる。
【００４７】
他の態様において、化学品を使用することよりむしろ、１つ以上の電池６４が設けられ、そして使用者が整形具中に保持具を進め整形具をキャップに対して移動させそして回路を閉じるとき、起動する。電池は、電流を流して周辺の抵抗ヒータープレート６６を加熱する。ヒータープレート６６は、先端を柔らかくする予定した熱量の熱を放出し、それは使用者によって変化させることにより整形される。
【００４８】
図１Ａすなわち図２Ｅと同様に、本発明の１つの態様により、図６Ａおよび６Ｂに画かれた整形具１９が、整形具１８の代わりに使用できる。整形具１９は肩状部１９ａを含み、そして１つ以上の縁１９ｃを有する連続または不連続のスロット１９ｂを含むことができる。
【００４９】
その態様では、スロットは渦巻き状であるように成形される。従って、使用者がキャップに対して保持具を回転するとき、先端は縁１９ｃにより整形される。スロットが渦巻き状の形状を有するため、回転の程度は、スロット１８ｃのそれより低い。
【００５０】
好ましくは、スロット１９ｂは、円周方向に少なくとも渦巻き状であって、キャップすなわち整形具に対する保持具の回転運動の代わりまたはそれに加えて、キャップすなわち整形具に対して保持具の縦方向の運動を使用者が行うことを可能にする。使用者が保持具をキャップに対して縦方向に移動させるとき、先端は整形用面と接触し、そして予定した量の先端の外側の表面がスロットを通して取り出される、および／または蓄積された材料の域から減少した材料の域へ材料を移動させることにより滑らかになる。
【００５１】
特に、図３Ａ、３Ｂおよび４について教示されたように、整形具１９は、また整形具が優れた結果を得るために偏り部材と組み合わされた場合に使用できる。
他の態様では、少なくとも図６Ｃおよび６Ｄにより画かれているように、整形具２１は、先端１６ａから取り除かれた化粧材料を内部の空間１４ｂに保持する開口２１ｂを遠位の末端に画成する部分２１ａを有する切頭円錐状の形状を含む。
【００５２】
整形具２１は、比較的高い摩擦性を有する材料、例えば軽石または粗いワックスからつくることができる。使用にあたって、使用者は、そのため、キャップに対して保持具を予定の回転数で回転させ、先端を整形具に対して回転させる。整形用面は、次に先端の上に移動し、そして先端の外側の表面が磨り減らされる、および／または蓄積された材料の域から減少された材料の域へ材料を移動することにより滑らかにされる。好ましくは、磨り減らされた材料の残存物が、内部の空間１４ｂ中へ落下しそして当業者により一般に周知の如くリビングヒンジ１４ｇを含む任意の好適な手段により蝶番を付けられたキャップ１４中の蓋１４ｅを経て移動できるように、使用者は化粧品を構成する。
【００５３】
容易に分かるように、整形具２１は、図３Ａ、３Ｂおよび４について教示された構造で好適に使用できる。
上述の発明が、また独立したユニットとして使用でき、そしてキャップ中に配置される必要がないか、または保持具の遠位の末端中に配置されることもできることを理解すべきである。
【００５４】
本発明の１つ以上の態様では、整形具１８に類似して本明細書で示されている複数の整形具３０ａ−３０ｅは、整形具１９、２１、５８および６８のような本明細書で教示されている任意の整形具も好適であるが、図７Ａ−７Ｅに概略示されているように、使用者により使用される先端３１ａ−３１ｅにとり最も好適な形状のタイプを使用者が選択できるようにされる。従って、非常に鋭く画成されたラインを好む使用者は、図７Ｂの整形具のような高いピークを有する整形具を用いるだろう。より鋭い先端は、図７Ｅの整形具を用いて作られ、一方鋭くない先端は、図７Ｃの整形具のような好適な整形具により作られる。「のみ状」の先の先端は、図７Ｄの整形具のような特別な構造を有する整形具により作ることができる。
【００５５】
複数の整形具のそれぞれは、キャップからの容易かつ安全な挿入および取り出しを可能にするアセンブリに設けられる。それに加えてまたはその代わりに、複数の整形具のそれぞれに、それ自体のキャップを設けることができる。種々の目的をもつ整形具を有するキャップの選択には、１つの化粧品を提供するか、または別々に提供することになり、１つ以上の化粧品の使用にあたって使用者は最大の可能なフレキシビリティを得ることができる。
【００５６】
キャップに設けられた複数の整形具のそれぞれまたは１つの整形具は、使用者が形状を認識するのに好適な、それぞれ別々の区別できる標識を含む。
本発明の１つの態様によれば、化粧品１００は、保持具１０２と、保持具により保持された化粧ユニットの先端部分を整形および／または画成するキャップ１０４とを含む。
【００５７】
化粧品は、任意の好適なものであってよいが、好ましくは化粧品は「のみ状」の先の先端を含む化粧ユニットを有するように構成される。
保持具１０２は、当業者に周知のように化粧ユニット１０６をしっかり保持する本体１０２ａを含む。保持具１０２は、使用者が使用者の身体へ化粧ユニットの化粧料を適用するように、本体１０２ａの近位の末端の外部で化粧ユニットの先端１０６ａを維持する。
【００５８】
化粧ユニット１０６は、固体または半固体であり、それは、前述のように材料が先端に不均一に分布したとき表面を補正するために先端の一部が整形および／または画成されることを可能にし、そして整形すなわち補正を可能にする性質の材料を有する。
【００５９】
キャップ１０４は、好適な材料から作られ、そして任意の好適なプロセスにより製造され、スナップ留めアセンブリを含む。キャップ１０４は、好ましくは、保持具１０２に適合するサイズをもち、外部の力から先端１０６ａを保護する。キャップ１０４は、一体化したキャップまたは独立したキャップである。
【００６０】
図８Ａについて、キャップ１０４は、保持具１０２の本体の肩状部１０２ｂと適合して任意の好適な手段例えば摩擦嵌めにより保つ内部部分１０４ａを含む。
キャップ１０４は、磨り減らされた化粧ユニットの先端部分を整形および／または画成する整形具１０８をさらに含む。整形具１０８は、キャップ中に任意の好適な手段により設けられ、例えば、整形具はキャップと一体化されているか、または挿入されそして摩擦嵌めまたはスナップアセンブリにより確保されている。
【００６１】
整形具１０８は、１つ以上の刃の縁１０８ｂを有する表面１０８ａを含み、縁は、好ましくは、キャップ１０４の壁での近位の位置からキャップの反対の壁またはその付近の遠位の位置へ延在している。キャップ１０４は、整形具へ接続していて使用者が操作できる把持１０９をさらに含む。把持および／または整形具は、キャップに設けられたガイド１０４ｃを移動する。図８Ｃ−８Ｅに画かれているように、ガイドは、直線状、スロープ状、曲線状または任意の他の形状であり、そして先端の整形にあたって助けとなる。
【００６２】
使用にあたって、使用者は、図８Ｂに画かれているように、第１の位置Ａから第２の位置Ｂへまたはその逆に移動するガイドに沿って整形具１０８を動かし、そして先端１０６ａを取り出して「のみ状」の先の先端または他の好適な先端を形成する。
【００６３】
図８Ｆ−８Ｈについて画かれている１つ以上の態様では、整形具１０８と同様に１つ以上の刃の縁１１０ａを有する整形具１１０は、キャップの内壁に設けられた１つ以上のガイド１０４ｄを移動する。使用者が操作できるボタン１１２が設けられ、そしてピストン１１２ａを経て整形具と操作可能に連絡して配置される。ボタン１１２は、偏り部材１１４を含み、それは第１の位置からピストンの届く範囲に延在しそして整形具を後退させる。
【００６４】
本発明は特定の態様について記述されたが、多くの代替、改変および変化は前述の記述から当業者に明らかであることを理解すべきである。
【符号の説明】
【００６５】
１０    化粧品
１２    保持具
１２ａ  １２の本体
１２ｂ  肩状部
１４    キャップ
１４ａ  内部部分
１４ｂ  内部の空間
１４ｃ  孔
１４ｅ  蓋
１４ｇ  リビングヒンジ
１６    化粧ユニット
１６ａ  １６の先端
１７ａ  高い箇所
１７ｂ  低い箇所
１８    整形具
１８ａ  整形用面
１８ｂ  肩状部
１８ｃ  スロット
１８ｄ  縁
１９    整形具
１９ａ  肩状部
１９ｂ  スロット
１９ｃ  縁
２０    偏り部材
２０ａ  偏り要素
２０ｂ  筐体
２１    整形具
２１ａ  遠位の末端
２１ｂ  開口
２２    プッシュボタン
２２ａ  触知できる表面
２２ｂ  ピストン
２２ｃ  偏り部材
２２ｄ  ピストンの表面
３１ａ  先端
３１ｂ  先端
３１ｃ  先端
３１ｄ  先端
３１ｅ  先端
５０    化粧品
５２    保持具
５２ａ  ５２の本体
５２ｂ  肩状部
５４    キャップ
５４ａ  内部部分
５４ｃ  孔
５４ｄ  頂部
５６    化粧ユニット
５６ａ  先端
５８    整形具
５８ａ  整形用面
５８ｂ  肩状部
５８ｃ  孔
５８ｄ  溝
６０    貯槽
６２    プッシュボタン
６２ａ  触知できる表面
６２ｂ  ピストン
６２ｃ  偏り部材
６４    電池
６６    ヒータープレート
６８    整形具
１００    化粧品
１０２    保持具
１０２ａ  １０２の本体
１０２ｂ  肩状部
１０４    キャップ
１０４ａ  内部部分
１０４ｃ  ガイド
１０４ｄ  ガイド
１０６    化粧ユニット
１０６ａ  先端
１０８    整形具
１０８ａ  １０８の表面
１０８ｂ  縁
１０９    把持
１１０    整形具
１１０ａ  縁
１１２    ボタン
１１２ａ  ピストン
１１４    偏り部材
【図１Ａ】
2010523210.tif 000003
【図１Ｂ】
2010523210.tif 000004
【図１Ｃ】
2010523210.tif 000005
【図１Ｄ】
2010523210.tif 000006
【図１Ｅ】
2010523210.tif 000007
【図２Ａ】
2010523210.tif 000008
【図２Ｂ】
2010523210.tif 000009
【図２Ｃ】
2010523210.tif 000010
【図２Ｄ】
2010523210.tif 000011
【図２Ｅ】
2010523210.tif 000012
【図２Ｆ】
2010523210.tif 000013
【図３Ａ】
2010523210.tif 000014
【図３Ｂ】
2010523210.tif 000015
【図４】
2010523210.tif 000016
【図５Ａ】
2010523210.tif 000017
【図５Ｂ】
2010523210.tif 000018
【図５Ｃ】
2010523210.tif 000019
【図５Ｄ】
2010523210.tif 000020
【図５Ｅ】
2010523210.tif 000021
【図６Ａ】
2010523210.tif 000022
【図６Ｂ】
2010523210.tif 000023
【図６Ｃ】
2010523210.tif 000024
【図６Ｄ】
2010523210.tif 000025
【図７Ａ】
2010523210.tif 000026
【図７Ｂ】
2010523210.tif 000027
【図７Ｃ】
2010523210.tif 000028
【図７Ｄ】
2010523210.tif 000029
【図７Ｅ】
2010523210.tif 000030
【図８Ａ】
2010523210.tif 000031
【図８Ｂ】
2010523210.tif 000032
【図８Ｃ】
2010523210.tif 000033
【図８Ｄ】
2010523210.tif 000034
【図８Ｅ】
2010523210.tif 000035
【図８Ｆ】
2010523210.tif 000036
【図８Ｇ】
2010523210.tif 000037
【図８Ｈ】
2010523210.tif 000038
【国際調査報告】
2010523210.tif 000039